(57)【要約】【課題】  使用済みの洗浄水を浄化すると共に循環させ、新たな洗浄水として再利用する水洗トイレにおいて、排水路の詰まりによる便器からの洗浄水の溢れ出しを抑制することのできる水洗トイレユニットおよびその便器を提供する。【解決手段】  使用済みの洗浄水を汚水浄化部３０で浄化すると共に循環させ、新たな洗浄水として再利用する水洗トイレユニット１００において、便器本体２１と、前記便器本体２１で使用した洗浄水を前記汚水浄化部３０に流す排水路２３と、前記排水路２３とは別に形成され、前記便器本体２１と前記汚水浄化部３０を連通接続するオーバーフロー管４とを備え、前記便器本体２１に溜まった洗浄水を、前記オーバーフロー管４を介して前記汚水浄化部３０に排水する。【選択図】  図２
2005248470.tif 000002
【特許請求の範囲】
【請求項１】
使用済みの洗浄水を汚水浄化手段で浄化すると共に循環させ、新たな洗浄水として再利用する水洗トイレユニットにおいて、
便器本体と、前記便器本体で使用した洗浄水を前記汚水浄化手段に流す排水路と、前記排水路とは別に形成され、前記便器本体と前記汚水浄化手段を連通接続するオーバーフロー管とを備え、
前記便器本体に溜まった洗浄水を、前記オーバーフロー管を介して前記汚水浄化手段に排水することを特徴とする水洗トイレユニット。
【請求項２】
前記オーバーフロー管における洗浄水の流量が所定量以上の場合に検出信号を出力する流量検出手段と、洗浄水の循環動作を制御する制御手段とをさらに備え、
前記制御手段は、前記流量検出手段が出力する前記検出信号に同期して、洗浄水の循環動作を停止させることを特徴とする請求項１に記載された水洗トイレユニット。
【請求項３】
前記制御手段は、洗浄水の循環動作に係る電源を切断することにより、洗浄水の循環動作を停止させることを特徴とする請求項２に記載された水洗トイレユニット。
【請求項４】
前記制御手段は、洗浄水の循環経路上に設けられたバルブを閉弁することにより、洗浄水の循環動作を停止させることを特徴とする請求項２に記載された水洗トイレユニット。
【請求項５】
前記流量検出手段が出力する検出信号に同期して、使用を中止する旨を表示するメッセージ手段をさらに備えることを特徴とする請求項２乃至請求項４のいずれかに記載された水洗トイレユニット。
【請求項６】
使用済みの洗浄水を汚水浄化部で浄化すると共に循環させ、新たな洗浄水として再利用する水洗トイレユニットの便器において、
便器本体を具備し、
前記便器本体は、該便器本体で使用された洗浄水の排水路とは別に形成され、便器本体に溜まった洗浄水を前記汚水浄化部に排水する水抜き手段を有することを特徴とする水洗トイレユニットの便器。
【請求項７】
前記水抜き手段は、前記便器本体の内側側面に形成された孔であることを特徴とする請求項６に記載された水洗トイレユニットの便器。
【発明の詳細な説明】
【技術分野】
【０００１】
本発明は、使用済みの洗浄水を浄化すると共に循環させ、新たな洗浄水として再利用する水洗トイレユニットおよびその便器に関する。
【背景技術】
【０００２】
キャンプ場や工事現場等の給排水設備のない場所においては、洗浄水として使用済みの水を浄化し、新たな洗浄水として再利用する循環式水洗トイレの需要がある。この循環式水洗トイレについては、例えば、特許文献１（特開平１０−２６６３００号公報）に記載されている。
この特許文献１に開示される循環式水洗トイレについて図８に基づいて全体の概要を説明する。図８において、便器５１内の汚物（図示せず）は、ロータンク５２から供給される洗浄水によって排水路５３を介し、浄化槽５４へと流される。浄化槽５４においては、洗浄水が浄化され、ロータンク５２に再び貯水されるようになされている。このような循環式水洗トイレにあっては、水道水を使用せずとも水道水を直接流す方式の水洗トイレと同様の使い勝手と清潔感が得られ、また、断水時でも使用できるというメリットがある。
【０００３】
ところで、前記した循環式水洗トイレに限らず、従来から、水洗トイレにおいては、排水路が汚物やペーパによって詰まった場合、洗浄水が排水路を流れず便器５１に溜まり、最後には便器外に溢れ出すという問題があった。
このような問題に関し、特許文献２（特開平８−２３２３３０号公報）には、排水路内に汚物等が詰まりにくい構成のサイホン式大便器が開示されている。この特許文献２に示されるサイホン式大便器について図９に基づいて説明する。図９において、このサイホン式大便器は、ボール部６１を有する便器本体６２と、この便器本体６２に一体形成された洗浄水タンク６３と、ボール部６１から連続して形成されたトラップ排水路６４とで構成される。
【０００４】
前記トラップ排水路６４は、導入管路部６５、垂下管路部６６及び排出管路部６７から一体的に構成されている。そして排出管路部６７には水溜り部６７ａが形成され、その上方に壁突出部６８が形成されている。これにより、水溜り部６７ａに溜まった水と壁突出部６８との間に狭い通路空間を形成し、管径を絞ることなく、サイホン作用を誘起させるように工夫されている。すなわち、サイホン作用を誘起させることにより、汚物などを洗浄水と共に排出し易くなされている。
【特許文献１】特開平１０−２６６３００号公報
【特許文献２】特開平８−２３２３３０号公報
【発明の開示】
【発明が解決しようとする課題】
【０００５】
図９に示したようなサイホン式大便器を図８に示した循環式水洗トイレに採用すれば、汚物やペーパにより排水路が詰まる問題は、大幅に改善されることが期待できる。
しかしながら、悪戯等によりビニール袋や、衣類等が排水路に流された場合、排水路の詰まりは避けられず、また、その状態で洗浄水を流すと便器本体に洗浄水が溜まり、最後には便器外に溢れ出すという問題があった。
【０００６】
本発明は、前記したような事情の下になされたものであり、使用済みの洗浄水を浄化すると共に循環させ、新たな洗浄水として再利用する水洗トイレにおいて、排水路の詰まりによる便器からの洗浄水の溢れ出しを抑制することのできる水洗トイレユニットおよびその便器を提供することを目的とする。
【課題を解決するための手段】
【０００７】
前記した課題を解決するために、本発明にかかる水洗トイレユニットは、使用済みの洗浄水を汚水浄化手段で浄化すると共に循環させ、新たな洗浄水として再利用する水洗トイレユニットにおいて、便器本体と、前記便器本体で使用した洗浄水を前記汚水浄化手段に流す排水路と、前記排水路とは別に形成され、前記便器本体と前記汚水浄化手段を連通接続するオーバーフロー管とを備え、前記便器本体に溜まった洗浄水を、前記オーバーフロー管を介して前記汚水浄化手段に排水することに特徴を有する。
このように構成することにより、排水路が詰まり、便器本体に洗浄水が溜まった場合でも、オーバーフロー管により洗浄水を汚水浄化手段に排水することができ、便器外への水の溢れ出しを防止することができる。
【０００８】
また、前記オーバーフロー管における洗浄水の流量が所定量以上の場合に検出信号を出力する流量検出手段と、洗浄水の循環動作を制御する制御手段とをさらに備え、前記制御手段は、前記流量検出手段が出力する前記検出信号に同期して、洗浄水の循環動作を停止させることが望ましい。
このように構成することにより、排水路の詰まりを検出することができ、また、自動的に洗浄水の循環動作を停止させることができる。すなわち、洗浄水が循環しないため、便器本体には新たに洗浄水が供給されることがなく、便器外への水の溢れ出しを完全に防止することができる。また、洗浄水の循環動作に用いる消費電力の浪費を無くすことができる。
【０００９】
なお、前記制御手段は、洗浄水の循環動作に係る電源を切断することにより、洗浄水の循環動作を停止させることが好ましい。
あるいは、前記制御手段は、洗浄水の循環経路上に設けられたバルブを閉弁することにより、洗浄水の循環動作を停止させてもよい。
【００１０】
また、前記流量検出手段が出力する検出信号に同期して、使用を中止する旨を表示するメッセージ手段をさらに備えることが望ましい。
このように構成すれば、使用者に故障中である旨をその使用前に知らせることができる。
【００１１】
また、前記した課題を解決するために、本発明にかかる水洗トイレユニットの便器は、使用済みの洗浄水を汚水浄化手段で浄化すると共に循環させ、新たな洗浄水として再利用する水洗トイレユニットの便器において、便器本体を具備し、前記便器本体は、該便器本体で使用された洗浄水の排水路とは別に形成され、便器本体に溜まった洗浄水を前記汚水浄化手段に排水する水抜き手段を有することに特徴を有する。
このように構成することにより、排水路が詰まり、便器本体に洗浄水が溜まった場合でも、洗浄水を水抜き手段から汚水浄化手段に排水することができ、便器外への水の溢れ出しを防止することができる。
なお、前記水抜き手段は、前記便器本体の内側側面に形成された孔であることが望ましい。
【発明の効果】
【００１２】
本発明によれば、使用済みの洗浄水を浄化すると共に循環させ、新たな洗浄水として再利用する水洗トイレユニットにおいて、排水路の詰まりによる便器からの洗浄水の溢れ出しを抑制することのできる水洗トイレユニットおよびその便器を提供することができる。
【発明を実施するための最良の形態】
【００１３】
以下、本発明にかかる実施の形態につき図１乃至図７に基づいて説明する。図１は、本発明に係る水洗トイレユニットの側面図、図２は図１の水洗トイレユニットの正面図、図３は図１の水洗トイレユニットの平面図である。また、図４は図１の水洗トイレユニットが具備する便器の側面図、図５は図４の便器の平面図、図６は図４の便器の正面図および背面図である。また、図７は、本発明に係る水洗トイレユニットのシステム概要を説明するためのブロック図である。
【００１４】
先ず、図１乃至図３に基づき、本発明に係る水洗トイレユニットの構成について説明する。図１乃至図３に示すように、水洗トイレユニット１００は、ハウジング１の中に、便器２０と、便器２０に流す洗浄水を貯水するロータンク２と、使用済みの洗浄水を浄化処理する汚水浄化部（汚水浄化手段）３０とを備える。
また、前記汚水浄化部３０は、便器２０からの汚物と洗浄水を排水路である排水管２３を介して受け取る入水槽５と、入水槽５で浄化のため酸化促進された循環水を貯水する揚水槽６とを有する。さらに、ポンピングにより揚水槽６から汲み上げられた循環水から浮遊物を夫々分離する分離槽７および沈殿槽８と、浄化された洗浄水を貯水する送水槽９とを有する。
【００１５】
また、前記ロータンク２には、汚水浄化部３０において浄化処理された洗浄水が給水管１０を介して供給され、さらにロータンク２に貯水されている洗浄水は、必要時に給水管３を介して便器２０に供給されるようになされている。
【００１６】
また、便器２０に供給された洗浄水は排水管２３を介して汚水浄化部３０の入水槽５に流されるが、図２に示すように便器２０にはオーバーフロー管４が接続されている。すなわち、排水管２３の詰まりにより便器２０に洗浄水が溜まった場合、溜まった洗浄水がオーバーフロー管４を介して入水槽５に流れるようになされている。
【００１７】
さらに、オーバーフロー管４上には、図２に示すように流量センサ１１（流量検出手段）が設けられている。この流量センサ１１は、オーバーフロー管４における洗浄水の流量を検出し、所定量以上の水量を検出したときに検出信号を出力する。このオーバーフロー管４に洗浄水が流れ込むという状況は、排水管２３の詰まりにより便器２０に洗浄水が必要以上に溜まった場合である。したがって、前記検出信号によって排水管２３の詰まりを判断することができる。
【００１８】
次に図４乃至図６に基づき便器２０について説明する。図示するように、便器２０は便器本体２１を具備している。図５に示すように、この便器本体２１には排水口２１ａが形成され、図４、図６に示すように、この排水口２１ａに排水管２３が接続される。図４、図６（ｂ）に示すように便器本体２１における排水口２１ａの上方には、水平方向（側面）に水抜き孔２２（水抜き手段）が設けられ、この水抜き孔２２に前記オーバーフロー管４が接続される。
【００１９】
また、前記したように排水管２３に流された洗浄水は汚水浄化部３０の入水槽５に排水される。この排水管２３は、例えばＵ字型に形成されたトラップ型の排水管であって、その途中に水Ｗが溜まるようになされる。すなわち、水が溜まった部位に狭い通路空間を形成し、管径を絞ることなくサイホン作用を誘起するように形成されている。また、水を溜めることにより、悪臭や不衛生な物質などが、排水管２３を逆流して上がってくるのを防ぐようになされている。
【００２０】
続いて、図７に基づき、水洗トイレユニット１００の動作について説明する。なお、図７（ａ）は、排水管２３が詰まった際の洗浄水の循環動作をポンプ動作により制御する場合のブロック図であり、図７（ｂ）はバルブ動作により制御する場合のブロック図を示している。
【００２１】
先ず、図７（ａ）、（ｂ）に示すように、正常動作時において、便器２０の汚物はロータンク２から供給される洗浄水により入水槽５に流される。この入水槽５においては、汚水となった洗浄水が流動攪拌しながら微生物等の作用により酸化を始めるようになされる。すなわち、汚水である洗浄水は、酸化作用により殺菌され、悪臭成分が分解される。そして揚水層６においては、大きな異物が取り除かれ、ポンプ１２により分離槽７に揚水される。分離槽７においては、洗浄水中の浮遊物が回転分離され、拡散した状態の浮遊物が凝集して沈殿する。さらに、沈殿槽８においても同様に浮遊物が回転分離され、洗浄水がさらに浄化処理される。このようにして浄化された洗浄水は、送水槽９に貯水され、さらにロータンク２に供給される。
【００２２】
もし、トイレ使用者の悪戯等により排水管２３にビニール等が詰まった場合、便器本体２１に流された洗浄水は排水管２３を流れないため、便器本体２１に溜まる。そして水抜き孔２２の高さまで洗浄水が溜まると、洗浄水は便器本体２１から溢れ出すことなくオーバーフロー管４に流れる。ここで流量センサ１１は、オーバーフロー管４における洗浄水の流れを検出し、制御手段１３に検出信号を出力する。
【００２３】
ここで図７（ａ）の場合では、制御手段１３は、ポンプ１２に動作停止命令を出力し、ポンプ１２が動作停止する（あるいは、洗浄水の循環動作に係る電源をすべて停止してもよい）。すなわち、ポンプ１２が動作停止することにより洗浄水は循環動作することがない。
一方、図７（ｂ）の場合では、制御手段１３は、送水槽９とロータンク２との間の給水管１０上に設けられたバルブ１４を閉弁するよう動作制御する。すなわち、ロータンク２には洗浄水が供給されず、洗浄水の循環動作が停止する。
このように、図７（ａ）、（ｂ）のいずれの場合においても、ロータンク２には、新たな洗浄水が供給されないため、便器２０にも洗浄水が流されることがなく、便器外への水溢れを防止することができる。
【００２４】
なお、流量センサ１１からの検出信号に同期して、ハウジング１の外側壁面に、電光表示等により「故障中」あるいは「使用中止」等の旨のメッセージを自動表示するメッセージ手段（図示せず）を設けることが好ましい。このようにすれば、事前に使用者にその旨を知らせることができる。
【００２５】
以上説明した一実施の形態によれば、悪戯等により排水管２３が詰まった場合でも、オーバーフロー管４により洗浄水を排水することができる。また、オーバーフロー管４に流量センサ１１を設けることにより排水管２３の詰まりを検出することができ、制御手段１３により洗浄水の循環動作を制御することができる。したがって、排水管２３が詰まった場合には、ロータンク２に新たな洗浄水が供給されないため、便器２０にも洗浄水が流されることがなく、便器２０からの水溢れを完全に防止することができる。
また、メッセージ手段を設けることにより、使用者に故障中である旨を事前に知らせることができる。
【００２６】
なお、前記実施の形態に示した汚水浄化部３０の構成は、汚水を浄化し循環させる構成の一例であって、これに限らず汚水を浄化し循環させる構成であれば他の構成であってもよい。
また、前記実施の形態においては、便器２０の形状は、和式便器の形状としたが、洋式便器の形状（あるいは小便器の形状）であってもよく、その便器本体に水抜き手段を形成してもよい。
【産業上の利用可能性】
【００２７】
本発明は、使用済みの洗浄水を汚水浄化部で浄化すると共に循環させ、新たな洗浄水として再利用する循環式水洗トイレユニットにおいて好適に用いることができる。
【図面の簡単な説明】
【００２８】
【図１】図１は、本発明に係る水洗トイレユニットの側面図である。
【図２】図２は、図１の水洗トイレユニットの正面図である。
【図３】図３は、図１の水洗トイレユニットの平面図である。
【図４】図４は、図１の水洗トイレユニットが具備する本発明に係る便器の側面図である。
【図５】図５は、図４の便器の平面図である。
【図６】図６は、図４の便器の正面図および背面図である。
【図７】図７は、本発明に係る水洗トイレユニットのシステム概要を説明するためのブロック図である。
【図８】図８は、従来の循環式水洗トイレの全体概要を示す断面図である。
【図９】図９は、従来のサイホン式大便器の断面図である。
【符号の説明】
【００２９】
１        ハウジング
２        ロータンク
３        給水管
４        オーバーフロー管
５        入水槽
６        揚水槽
７        分離槽
８        沈殿槽
９        送水槽
１０      給水管
１１      流量センサ（流量検出手段）
１２      ポンプ
１３      制御手段
１４      バルブ
２０      便器
２１      便器本体
２２      水抜き孔（水抜き手段）
２３      排水管（排水路）
３０      汚水浄化部（汚水処理手段）
１００    水洗トイレユニット
【図１】
2005248470.tif 000003
【図２】
2005248470.tif 000004
【図３】
2005248470.tif 000005
【図４】
2005248470.tif 000006
【図５】
2005248470.tif 000007
【図６】
2005248470.tif 000008
【図７】
2005248470.tif 000009
【図８】
2005248470.tif 000010
【図９】
2005248470.tif 000011